(57)【要約】      （修正有）【課題】読み込み速度や応答速度が速く、サーバの負荷を軽減することで作業速度の速い、実用性の高い棚卸しシステムを提供する。【解決手段】携帯端末の脆弱な光学的コード読み込み機能を、高機能な携帯型スキャナを組み合わせて機能を強化する。また、携帯端末がサーバから棚卸しに必要な情報を一時に読み込むことにより、通信回数を減らし、さらに、一時に読み込んだ情報を演算するために、携帯端末に棚卸し用プログラムを用意する。【選択図】図４
2014084229.tif 000002
【特許請求の範囲】
【請求項１】
携帯端末に在庫情報を記録させたサーバから、携帯端末の通信機能を使って商品の名称、または商品の識別番号、もしくはその両方の情報を一時に読み込ませ、概携帯端末とケーブル通信または無線通信で連携動作できる携帯型スキャナとを連係動作させ、商品の収納場所に貼付されるか、または商品そのものに印刷または貼付されている、光学的に読み込めるようＪＡＮ、ＣＯＤＥ、ＱＲなどにコード化された商品の名称、または商品の識別番号、もしくはその両方の概光学コード化された情報を概携帯型スキャナで読み込ませ、概サーバの情報と概携帯型スキャナで読み込んだコードの情報とで棚卸しができるプログラムを概携帯端末に用意し、概携帯端末で、棚卸作業者が、棚卸情報に、付加または変更を加え、付加または変更した情報のみを概サーバへ返信、記録させる棚卸システム。
【請求項２】
携帯端末に在庫情報を記録させたサーバから、携帯端末の通信機能を使って商品の名称、または商品の識別番号、もしくはその両方の情報を読み込ませ、概携帯端末とケーブル通信または無線通信で連携動作できる携帯型スキャナとを連係動作させ、商品の収納場所に貼付されるか、または商品そのものに印刷または貼付されている、光学的に読み込めるようＪＡＮ、ＣＯＤＥ、ＱＲなどにコード化された商品の名称、または商品の識別番号、もしくはその両方の概光学コード化された情報を概携帯型スキャナで読み込ませ、概サーバの情報と概携帯型スキャナで読み込んだコードの情報とで棚卸しができるプログラムを概携帯端末に用意し、概携帯端末で、棚卸作業者が、棚卸情報に付加または変更を加え、概サーバへ返信、記録させる棚卸システム。
【請求項３】
携帯端末に在庫情報を記録させたサーバから、携帯端末の通信機能を使って商品の名称、または商品の識別番号、もしくはその両方の情報を一時に読み込ませ、概携帯端末に搭載されている撮影機能で、商品の収納場所に貼付されるか、または商品そのものに印刷または貼付されている、光学的に読み込めるようＪＡＮ、ＣＯＤＥ、ＱＲなどにコード化された商品の名称、または商品の識別番号、もしくはその両方の概光学コード化された情報を読み込ませ、概サーバの情報と概携帯型スキャナで読み込んだコードの情報とで棚卸しができるプログラムを概携帯端末に用意し、概携帯端末で、棚卸作業者が、棚卸情報に付加または変更を加え、付加または変更した情報のみを概サーバへ返信、記録させる棚卸システム。
【発明の詳細な説明】
【技術分野】
【０００１】この発明は、携帯端末と携帯型スキャナを利用した棚卸システムに関する。
【背景技術】
【０００２】従来より、商品の在庫数量を把握するために、定期的に、棚卸作業者が収納場所に保管された商品の在庫数量を数える方法がとられている。【０００３】この方法は、まず、棚卸作業者が携帯端末の撮影機能を利用し、商品の収納場所に貼付されるか、もしくは商品そのものに印刷または貼付されている、商品の名称、または商品の識別番号、もしくはその両方、さらに付加的な情報などを、光学的に読み込めるようコード化したＪＡＮ、ＣＯＤＥ、ＱＲなどの各コードを携帯端末で読み込み、携帯端末の通信機能を利用し、在庫情報を記録させたサーバと通信を行い、概サーバの在庫情報を更新し、棚卸作業を完了させていた。
【先行技術文献】
【特許文献】
【０００４】なお、この出願の発明に関する先行技術文献情報としては、例えば、特許文献１〜３が知られている。
【特許文献１】特開２００４−２３８１２６号公報
【特許文献２】特開２００８−２４７４９７号公報
【特許文献３】特開２０１２−５６７１４号公報
【発明の概要】
【発明が解決しようとする課題】
【０００５】しかしながら、以上の技術によれば、携帯端末の撮影機能を利用し、商品の収納場所に貼付されるか、もしくは商品そのものに印刷または貼付されている光学的コードを読み込む機能と概光学的コードを解析する携帯端末の能力は脆弱で、概光学的コードに撮影焦点を合わせ、概光学的コードを読み込み後、解析するまでの所要時間は長すぎ、実用的とはいえない。【０００６】さらに、商品の収納場所が薄暗い場合には、携帯端末の撮影能力が一層低下し、解析するまでの所要時間がさらに長くなってしまう。携帯端末に付属する照明機能を利用する事態になれば、携帯端末の電力消費量が上がり、充電池の消耗が早く、棚卸作業に従事できる時間が短くなってしまう。【０００７】また、携帯端末と在庫情報を記録させたサーバ間の通信において、棚卸作業者が携帯端末で読み上げた商品名などの情報を概サーバへ送信し、概情報を元に概サーバが演算し、演算結果を概携帯端末へ返信し、返信された概演算結果に棚卸作業者が概携帯端末で情報を付加または変更し、付加または変更された情報を概サーバへ再度返信し、これを記録させる方法は、通信の情報量および通信回数が多く、通信時間が長くなり、実用的とはいえない。【０００８】そこで、この発明は、携帯端末の脆弱な光学的コード読み込み機能を、ケーブル通信または無線通信で携帯端末と連携動作できる携帯型スキャナを付加することにより、光学的コードを読み上げる速度を速く安定したものとし、実用性の高い携帯端末と携帯型スキャナを組み合わせた棚卸システムを構築する。【０００９】また、携帯端末の通信機能を利用し、概携帯端末に在庫情報を記録させたサーバ内の商品の名称、または商品の識別番号、もしくはその両方の情報だけを、一時に携帯端末に読み込ませ、概サーバの情報と概携帯型スキャナで読み込んだコードの情報とで棚卸しができるプログラムを概携帯端末に用意し、概携帯端末で、棚卸作業者が、棚卸情報に、付加または変更を加えることができるので、サーバ側で演算する負荷が軽減され、稼働速度が向上し、利便性と実用性が向上する。【００１０】さらに、概携帯端末で付加または変更した情報だけを概サーバに返信し、書き換え、記録させることにより、概携帯端末と概サーバ間の通信の情報量および通信回数の低減を図り、応答速度が速く、利便性と実用性の高い携帯端末と携帯型スキャナを組み合わせた棚卸システムを提供することを課題とする。
【課題を解決するための手段】
【００１１】以上の課題を解決するために、発明は、携帯端末に、在庫情報を記録させたサーバから在庫情報を一時に読み込ませ、光学的コードの読み込み速度が速く安定した、ケーブル通信または無線通信で連携動作できる携帯型スキャナとを連係動作させ、商品の収納場所に貼付されるか、または商品そのものに印刷または貼付されている、光学的に読み込めるようＪＡＮ、ＣＯＤＥ、ＱＲなどにコード化された商品の名称、または商品の識別番号、もしくはその両方の概光学コード化された情報を概携帯型スキャナで読み込ませ、概サーバの情報と概携帯型スキャナで読み込んだコードの情報とで棚卸しができるプログラムを概携帯端末に用意し、概携帯端末で、棚卸作業者が、棚卸情報に、付加または変更を加え、付加または変更した情報のみを概サーバへ返信、記録させることにより、通信の情報量および通信回数の低減を図り、応答速度が速く、利便性と実用性の高い携帯端末と携帯型スキャナを組み合わせた棚卸システムであることを特徴とする棚卸システムである
【発明の効果】
【００１２】請求項１に記載の発明によれば、携帯端末に在庫情報を記録させたサーバから、商品の名称などの情報を一時に読み込ませ、概携帯端末で付加または変更した情報のみを概サーバへ返信、記録させる棚卸システムとすることで、概携帯端末と概サーバ間の通信の情報量および通信回数の低減を図り、応答速度が速く、利便性と実用性が向上する。【００１３】また、携帯端末と携帯型スキャナとを連係動作させ、商品の収納場所に貼付されるか、または商品そのものに印刷または貼付されている、光学的に読み込めるようコード化された商品の名称などのコードを読み込ませることにより、携帯端末に搭載されている脆弱な光学コード読み取り解析機能を使用する場合より、読み取り速度と安定性が格段に向上し、利便性と実用性が向上する。【００１４】さらに、サーバの情報と携帯型スキャナで読み込んだコードの情報とで棚卸しができるプログラムを概携帯端末に用意し、概携帯端末で、棚卸作業者が、棚卸情報に、付加または変更を加えることができるので、サーバ側で演算する負荷が軽減され、稼働速度が向上し、利便性と実用性が向上する。【００１５】請求項２に記載の発明によれば、携帯端末と携帯型スキャナとを連係動作させ、商品の収納場所に貼付されるか、または商品そのものに印刷または貼付されている、光学的に読み込めるようコード化された商品の名称などのコードを概携帯型スキャナで読み込ませることにより、携帯端末に搭載されている脆弱な光学コード読み取り解析機能を使用する場合より、読み取り速度と安定性が格段に向上し、利便性と実用性が向上する。【００１６】また、サーバの情報と携帯型スキャナで読み込んだコードの情報とで棚卸しができるプログラムを概携帯端末に用意し、概携帯端末で、棚卸作業者が、棚卸情報に、付加または変更を加えることができるので、サーバ側で演算する負荷が軽減され、稼働速度が向上し、利便性と実用性が向上する。【００１７】請求項３に記載の発明によれば、携帯端末に在庫情報を記録させたサーバから、商品の名称などの情報を一時に読み込ませ、概携帯端末で付加または変更した情報のみを概サーバへ返信、記録させる棚卸システムとすることで、概携帯端末と概サーバ間の通信の情報量および通信回数の低減を図り、応答速度が速く、利便性と実用性が向上する。【００１８】また、サーバの情報と、携帯端末に搭載されている撮影機能で読み込んだコードの情報とで棚卸しができるプログラムを概携帯端末に用意し、概携帯端末で、棚卸作業者が、棚卸情報に、付加または変更を加えることができるので、サーバ側で演算する負荷が軽減され、稼働速度が向上し、利便性と実用性が向上する。
【図面の簡単な説明】
【００１９】
【図１】実施例の携帯端末と携帯型スキャナの連携方法を示す図
【図２】実施例の携帯端末とサーバとの接続概念図
【図３】実施例の在庫情報を携帯端末に一時に取り込む概念図
【図４】実施例の商品または在庫棚に貼付されたコードを読み込む
【図５】実施例の携帯端末で在庫数量などを入力
【図６】実施例の付加または変更された情報のみをサーバへ返信する
【発明を実施するための形態】
【実施例】
【００２０】以下、本発明を具体化した実施形態を図面に基づいて説明する。【００２１】図１に示すように、携帯端末とケーブル通信または無線通信で連携動作できる携帯型スキャナとを連係動作させる。【００２２】図２に示すように、概携帯端末は携帯端末が有する通信機能により、通信基地局などを介して通信回線網に接続され、さらに在庫情報を記録させたサーバに接続され、通信する。【００２３】図３に示すように、概サーバに接続された概携帯端末は、商品の名称、または商品の識別番号、もしくはその両方の情報を一時に読み込む。【００２４】図４に示すように、商品の収納場所に貼付されるか、または商品そのものに印刷または貼付されている、光学的に読み込めるようＪＡＮ、ＣＯＤＥ、ＱＲなどにコード化された商品の名称、または商品の識別番号、もしくはその両方の情報を携帯型スキャナで読み込ませ、概サーバの情報と読み込んだコードの情報とを比較演算できるプログラムを概携帯端末に用意し、合致する商品の情報を特定する。【００２５】図５に示すように、概携帯端末で、概特定された情報に棚卸作業者が、付加または変更を加える。【００２６】図６に示すように、付加または変更した情報のみを概サーバへ返信、記録させる。【００２７】「実施形態の効果」
この実施形態によれば、携帯端末よりも高機能な撮影機能と、光学的コード解析機能を有する携帯型スキャナを使用することにより、携帯端末の脆弱な撮影機能と光学的コード解析機能を使用することによるタイムロスを低減し、また、在庫情報を記録させたサーバとの通信回数を低減させることによる応答速度の向上をもたらし、さらに携帯端末にプログラムを用意することにより概サーバの負担軽減による稼働速度の向上をもたらし、利便性と実用性が向上する。【００２８】「他の実施形態」
携帯型スキャナを使用ぜず、携帯端末の撮影機能と、光学的コード解析機能を使用ても、在庫情報を記録させたサーバと携帯端末の通信回数を低減させることにより応答速度の向上をもたらし、さらに携帯端末にプログラムを用意することにより概サーバの負担軽減による稼働速度の向上をもたらし、利便性と実用性が向上する。
【符号の説明】
【００２９】１０    携帯端末
１１    携帯型スキャナ
１２    無線通信
１３    通信ケーブル
１４    サーバ
１５    通信基地局
１６    通信回線網
１７    商品データなどの情報
１８    コードが貼付された商品収納場所
１９    コードが貼付された商品
２０    光学的読み込み
２１    情報を付加または変更
２２    付加または変更された情報のみを返信
【図１】
2014084229.tif 000003
【図２】
2014084229.tif 000004
【図３】
2014084229.tif 000005
【図４】
2014084229.tif 000006
【図５】
2014084229.tif 000007
【図６】
2014084229.tif 000008